(57)【要約】      （修正有）【課題】鼻部と口部とマスク部間に生じる隙間を低減して口、鼻に塵埃、花粉等が侵入するのを防止した鼻口分離独立式マスクを提供する。【解決手段】凸状に形成した鼻部マスクと口部マスクを独立分離して設け、かつその縁堤部にゴム、ウレタン素材、プラスチック、粘着物等で形成した隙間防止層部を一体に装着して取り付けて塵埃、花粉等の口、鼻への侵入を防止し、さらに、縁堤部に形状維持の役目と耳にマスクを装着する紐の取付孔を有する固定具とから構成したことを特徴とする鼻口分離独立式マスクである。【選択図】図４
0003144145.tif 000002
【実用新案登録請求の範囲】
【請求項１】
鼻部と口部をそれぞれ独立分離して形成した凸状の鼻部マスクと凸状の口部マスクとを一体に設け、かつ前記マスクの縁堤部に装着した隙間防止層部で鼻部、口部と上記各マスク間の隙間を塞ぐように構成したことを特徴とする鼻口分離独立式マスク。
【請求項２】
隙間防止層部はクッション性を有するゴム、プラスチックフォーム、粘着層等の１種以上の素材を用いたことを特徴とする請求項１記載の鼻口分離独立式マスク。
【請求項３】
口部マスクが伸縮自在な素材で構成したことを特徴とする請求項１又は２記載の鼻口分離独立式マスク。
【請求項４】
鼻部マスク、口部マスクの開口端部の周縁部にマスクの保形性と耳に装着する紐を取付けるための取付孔等を設けた少なくとも１個以上の固定具を装着したことを特徴とする請求項１〜３項記載のいずれか１項記載の鼻口分離独立式マスク。
【請求項５】
凸状の鼻部マスクの凸状内部に香料、治療薬等の快適促進剤の１種以上を装填したことを特徴とする請求項１〜４項記載の鼻口分離独立式マスク。
【考案の詳細な説明】
【技術分野】
【０００１】      本考案は、鼻部と口部をそれぞれ塞ぐ機能を分離させた鼻部マスクと口部マスクを一体に連設した構成の鼻口分離独立式マスクに関するものである。
【背景技術】
【０００２】        一般的なマスクは、鼻部と口部を一個の被覆空間で同時に塞ぐ構成のものが殆どであった。そのため、従来のこれらマスクは、密閉性を高めるために鼻周りに粘着質のものを設け、かつ吐息による眼鏡の曇り防止や会話時のマスクのズレ防止構造のものがあった（例えば特許公開２００６−３１４７３７）。また、マスク周縁部に粘着層を設け、粘着層にファション性のマスクカバーを着脱自在な構成のマスク、（例えば特許公開２００４−３５８１５８）、さらに、マスクを挟持、または係止以外の構造、所謂、粘着部を有する被覆部を顔面に粘着してマスクを支持するものが提案されている。（例えば特許公開２００７−２０９８３）。
【特許文献１】  特開２００６−３１４７３７号公報
【特許文献２】  特開２００４−３５８１５８号公報
【特許文献３】  特開２００７−２０９８３号公報
【考案の開示】
【考案が解決しようとする課題】
【０００３】        しかしながら、一般的なマスクは、マスクで覆われた周縁と顔面間には隙間があり、この隙間から粉塵や花粉が鼻、口に呼吸と同時に侵入する不都合があった。また、特許文献１のマスクでは、鼻と口を同時に塞ぎ、かつ、紙製マスクの裏面上周部適当箇所に、市販の鼻腔拡張テープのような粘着部を設けたので粘着部の違和感があった。また、特許文献２のマスクではマスクにファション性を付加する目的の構成であり、２層のマスクで周縁に粘着層を設けているため装着時の呼吸しにくさや顔に対する大きさで外観上も好ましくない。さらに、特許文献３のマスクと挟持、又は係止以外の方法での顔への装着法であるが、粘着部を顔面に粘着するとべたべたする等の嫌な感じと、粘着力が弱いと直ぐにずれる不具合があった。【０００４】      そこで、本考案では、マスク装着時の呼吸が苦しくなく、かつ会話等の際もマスクがずれることもなく、しかも、口、鼻に粉塵や花粉が侵入するのを阻止するため顔面とマスク周縁の隙間を確実に阻止できる鼻口分離式マスクを提供することを目的としている。
【課題を解決するための手段】
【０００５】        本考案は、鼻部と口部をそれぞれの機能上、分離独立した鼻部マスクと口部マスクを構成し、かつ、それぞれに顔面に接触する周縁部で一体に連設した構造としたことを特徴とする鼻口分離独立式マスクを提供することである。
【考案の効果】
【０００６】        上述したように本考案に係る鼻口分離独立式マスクは、鼻部と口部をそれぞれ機能上、分離独立して設け、かつその縁堤部を連設して一体に形成した鼻部マスクと口部マスクで独立してそれぞれを塞ぎ、かつ鼻部マスクと口部マスクが顔面に接触する縁堤部に顔面に対するクッション材兼密着材的なゴム、ウレタン素材、プラスチック、粘着物等の隙間防止層部により顔面とマスク縁堤部間の隙間を密閉することにより、縁堤部の隙間から粉塵、花粉等の異物の鼻、口への侵入を防止できる特徴がある。【０００７】        また、鼻部マスク、及び口部マスクは、目的に応じた機能に合致した素材を選択することができるので、伸縮自在な素材では大きく口を開くことができ、言葉もハッキリと聞き取れるし、鼻部マスクに除菌、香料等を含浸させた素材では鼻腔に対する殺菌、抗菌機能も付加できる特徴がある。
【考案を実施するための最良の形態】
【０００８】        以下に、図面を用いて本考案に係る鼻口分離独立式マスクの一実施例を詳細に説明すると、図１本考案に係る鼻口分離独立式マスクの全体説明図であり、図（ａ）はマスクの表面の正面図、図（ｂ）はその裏面図である。図２は上記マスクの右側面図であり、図３は図１イ−イ線における断面図である。図４は本考案に係る鼻口分離式マスクを顔面に装着した際の説明図であり、図（ａ）は正面図、図（ｂ）は側面図、図５（ａ）、（ｂ）はマスクの装着状態を説明する側端面図であり、図６（ａ）〜（ｅ）、及び図７（ａ）〜（ｅ）は固定具４の平面図と側面図である。【０００９】        さらに、詳細に説明すると、１は鼻部マスクで凸状に形成、例えば断面が三角形的な形状で鼻部を包囲するのに役立つものである。２は口部マスクで凸状に形成、例えば、ドーム状に形成して口部を包囲するのに役立ち、かつ、それぞれはマスク用の素材で機能的に独立した構成としたものである。３は縁堤部で独立した鼻部スク１と口部マスク２をそれぞれの開口端面部１ａ、２ａが個々に独立しないように一体に形成したものである。【００１０】      ４は隙間防止層部で顔面と各マスク部１，２の開口端部１ａ、２ａの縁堤部３に着脱自在に、かつ一体に装着したものであり、上記開口端面と顔面間の隙間を防止する役割とマスクと顔面間のクッション材としての機能も有するものである。その素材としては、ゴム、発泡レタン、その他のプラスチックフォーム、シリコン付きの粘着層等の１種から形成し、縁堤部３と顔面間の隙間調整としの隙間から粉塵、花粉等の侵入を防止するのに役立つものである。また、５は固定具で各マスク部１，２の縁堤部３の表面周縁上に一体に装着したものであり、接着、若しくは係止め、縫合等の手段で一体化し、必要により着脱自在な構造に構成する。７は紐で固定具５の取付部６、例えば孔６にそれぞれ端部を取付けて耳に図４（ａ）、（ｂ）に示すように鼻口分離独立式マスクを顔面に装着するのに役立つものである。【００１１】      次ぎに、本考案に係る鼻口分離独立式マスクを人体（顔面Ａ）に図４（ａ）、（ｂ）に示すように装着した際の使用状態を説明すると、固定具５の取付部６に取付けた紐７を耳Ｃに掛けた場合、口Ｂを閉じた状態における口部マスク２は図５（ａ）に示すような簡略断面になり、口Ｂを開いた際の状態における口部マスク２は図５（ｂ）に示すように口部マスク２が伸張した簡略断面になる。【００１２】        以上説明したのは、本考案に係る鼻口分離独立式マスクの一実施例にすぎず、図３に示すように鼻部マスク１の凸部先端内部空隙に香料や殺菌剤、若しくは治療薬等の快適促進剤等８の一種をカプセル状、その他の固形状態で装填した鼻口分離独立式マスクに構成すること、または鼻部マスク１と口部マスク２の素材を異質材で構成するのも可能である。勿論、口部マスク２を伸縮自在の素材で構成し、大口が開けられるように形成することも可能となる。【００１３】        さらに、固定具５は平面図で示す図６，及び側面図で示す図７に示しように構成することもできる。即ち、図６（ａ）は鼻部マスク１の縁堤部３と口部マスク２の縁堤部３に合致する固定部１ｂ、２ｂを一体に形成した固定具５であり、図（ｂ）は鼻部���スク１と口部マスク２の上顎部のみに対応する固定部１ｂと２ｃとを一体に形成した固定具５であり、図（ｃ）は鼻部マスク１の縁堤部４にのみ使用する固定部１ｃを示す固定具５であり、図（ｄ）は口部マスク２にのみ使用する固定部２ｂを示す固定具５であり、図（ｅ）は上顎にのみ使用する固定部２ｃを示す固定具５である。
【図面の簡単な説明】
【００１４】
【図１】本考案に係る鼻口分離独立式マスクを示す説明図であり、図（ａ）は正面図、図（ｂ）は鼻口分離独立式マスクの裏面図である。
【図２】本考案に係る鼻口分離独立式マスクの側面図である。
【図３】図１の図（ａ）におけるイ−イ線図による断面図である。
【図４】本考案に係る鼻口分離独立式マスクを顔面に装着した状態を示すものであり、図（ａ）は正面図、図（ｂ）は側面図である。
【図５】本考案に係る鼻口分離独立式マスクを顔面に装着した状態を示す側断面である。
【図６】本考案に係る鼻口分離独立式マスクに使用する各種の固定具を示す平面図である。
【図７】本考案に係る鼻口分離独立式マスクに使用する各種固定具の側面図である。
【符号の説明】
【００１５】      １  鼻部マスク
２  口部マスク
３  縁堤部
４  隙間防止層部
５  固定具
６  取付部
７  紐
Ａ  顔
Ｂ  口
Ｃ  耳
【図１】
0003144145.tif 000003
【図２】
0003144145.tif 000004
【図３】
0003144145.tif 000005
【図４】
0003144145.tif 000006
【図４】
0003144145.tif 000007
【図５】
0003144145.tif 000008
【図６】
0003144145.tif 000009
【図６】
0003144145.tif 000010
【図７】
0003144145.tif 000011
【手続補正書】
【提出日】平成20年4月16日(2008.4.16)
【手続補正１】
【補正対象書類名】図面
【補正対象項目名】図４、図６
【補正方法】変更
【補正の内容】
【図４】
0003144145.tif 000012
【図６】
0003144145.tif 000013
【手続補正書】
【提出日】平成20年6月16日(2008.6.16)
【手続補正１】
【補正対象書類名】手続補正書
【補正対象項目名】手続補正１
【補正方法】変更
【補正の内容】
【手続補正１】
【補正対象書類名】図面
【補正対象項目名】図４
【補正方法】変更
【補正の内容】
【図４】
0003144145.tif 000014
【手続補正２】
【補正対象書類名】手続補正書
【補正対象項目名】手続補正２
【補正方法】追加
【補正の内容】
【手続補正２】
【補正対象書類名】図面
【補正対象項目名】図６
【補正方法】変更
【補正の内容】
【図６】
0003144145.tif 000015